(57)【要約】  【課題】  映像出力モニタと映像信号出力機器との合わせ込み作業は非常に複雑である。  【解決手段】  ＲＧＢ信号と、ＲＧＢ信号を表示器４の表示画面上に画面表示させるための表示同期を確立する同期信号とを含む映像信号を出力するナビゲーション装置本体２であって、出力タイミングが異なる複数種類の同期信号を生成可能とする同期信号生成部１２と、セレクタ信号に応じて、複数種類の同期信号の内、所定の同期信号を選択する同期信号セレクタ部１３とを有し、この所定の同期信号とＲＧＢ信号とを含む映像信号を表示器４に伝送するようにした。【選択図】  図１
2005142928.tif 000002
【特許請求の範囲】
【請求項１】
色成分信号と、この色成分信号を表示画面上に映像表示する表示同期を確立するための同期信号とを含む映像信号を出力する映像信号処理装置であって、
出力タイミングが異なる複数種類の同期信号を生成可能とし、前記複数種類の同期信号の内、所定の同期信号を選択し、この所定の同期信号と前記色成分信号とを含む映像信号を出力する映像信号処理手段とを有することを特徴とする映像信号処理装置。
【請求項２】
前記映像信号処理手段は、
前記出力タイミングが異なる複数種類の同期信号を生成する同期信号生成手段と、
選択信号に応じて、この同期信号生成手段にて生成した複数種類の同期信号の内、所定の同期信号を選択する同期信号選択手段とを有し、
この同期信号選択手段にて選択した所定の同期信号と前記色成分信号とを含む映像信号を出力することを特徴とする請求項１記載の映像信号処理装置。
【発明の詳細な説明】
【技術分野】
【０００１】
本発明は、例えばアナログＲＧＢ信号等の色成分信号及び、この色成分信号を、例えばカラーモニタ、カラーテレビやＬＣＤ等の表示器の表示画面上に映像表示する表示同期を確立するための同期信号とを含む映像信号を表示器に伝送し、同期信号に基づいて鮮明な映像を表示器に映像出力させる映像信号処理装置に関する。
【背景技術】
【０００２】
従来、このような映像信号処理装置を備えたシステムとしては、ＲＧＢ信号及び同期信号を含む映像信号を生成する映像信号処理装置と、この映像信号処理装置にて生成した映像信号を映像出力するカラーモニタ等の表示器とを有し、この表示器では、映像信号処理装置から映像信号に含まれる同期信号を受信し、この同期信号とＲＧＢ信号とのサンプリングタイミングを合わせることで表示同期を確立し、映像信号処理装置の出力画素と表示器の表示画素とを１画素単位で合わせ、その結果、このＲＧＢ信号による鮮明な映像を表示器にて映像出力することができる(例えば特許文献１参照)。
【０００３】
しかしながら、上記従来の映像信号処理装置を備えたシステムによれば、映像信号処理装置及び表示器間をケーブル接続し、このケーブルを通じて映像信号処理装置から表示器へ映像信号を伝送する際に、同ケーブルの伝送損失によって、これら映像信号に含まれるＲＧＢ信号及び同期信号間に伝送時間差が生じることがある。
【０００４】
このようにＲＧＢ信号及び同期信号間に伝送時間差が生じると、ＲＧＢ信号及び同期信号間にズレが生じるため、映像信号処理装置の出力画素と表示器の表示画素とが合わなくなり、表示器の表示映像に「にじみ」や「ちらつき」等の不具合が発生することになる。
【０００５】
また同様に、このようなシステムによれば、映像信号処理装置及び表示器のハードウェア特性がマッチングしていない、例えば映像信号処理装置の出力特性と表示器の表示特性とがマッチングしていない場合においても、映像信号処理装置の出力画素と表示器の表示画素とが合わなくなり、表示器の表示映像に「にじみ」や「ちらつき」等の不具合が発生することになる。
【０００６】
そこで、このような不具合を解消すべく、例えば表示器の内部回路を調整することで、ＲＧＢ信号及び同期信号間のズレを補正したり、又は、映像信号処理装置の出力特性に表示器の表示特性を合わせこむことで、映像信号処理装置の出力画素と表示器の表示画素とをマッチングさせ、その結果、表示器の表示映像における「にじみ」や「ちらつき」等の不具合を回避することができることが知られている。
【特許文献１】特開平９−３１２７８３号公報（要約書及び図１参照）
【発明の開示】
【発明が解決しようとする課題】
【０００７】
しかしながら、上記従来の映像信号処理装置によれば、表示器の表示映像に生じる「にじみ」や「ちらつき」等の不具合を回避するためには、同映像信号処理装置(映像信号出力機器)の出力画素と表示器(映像出力モニタ)の表示画素とをマッチングさせるべく、表示器の内部回路を調整する作業が必要となるが、この調整作業は非常に難しく、熟練者による複雑な作業を要する。
【０００８】
また、このような映像信号処理装置を備えたシステムを、例えば車載用ナビゲーションシステムに適用した場合、映像信号処理装置であるナビゲーション装置本体から地図情報等の映像信号を表示器に映像出力することになるが、上述したように表示器の表示映像に「にじみ」や「ちらつき」等の不具合が生じると、地図の文字が見え辛く、その視認性が悪くなる。
【０００９】
本発明は上記点に鑑みてなされたものであり、その目的とするところは、熟練者による複雑な作業を要することなく、表示画面上に鮮明な映像表示を映像出力することができ、しかも視認性に優れた映像信号処理装置を提供することにある。
【課題を解決するための手段】
【００１０】
上記目的を達成するために本発明の映像信号処理装置は、色成分信号と、この色成分信号を表示画面上に映像表示する表示同期を確立するための同期信号とを含む映像信号を出力する映像信号処理装置であって、出力タイミングが異なる複数種類の同期信号を生成可能とし、前記複数種類の同期信号の内、所定の同期信号を選択し、この所定の同期信号と前記色成分信号とを含む映像信号を出力する映像信号処理手段とを有するようにした。
【００１１】
また、本発明の映像信号処理装置は、前記映像信号処理手段が、前記出力タイミングが異なる複数種類の同期信号を生成する同期信号生成手段と、選択信号に応じて、この同期信号生成手段にて生成した複数種類の同期信号の内、所定の同期信号を選択する同期信号選択手段とを有し、この同期信号選択手段にて選択した所定の同期信号と前記色成分信号とを含む映像信号を出力するようにした。
【発明の効果】
【００１２】
上記のように構成された本発明の映像信号処理装置によれば、出力タイミングが異なる複数種類の同期信号を生成可能とし、前記複数種類の同期信号の内、所定の同期信号を選択し、この所定の同期信号と前記色成分信号とを含む映像信号を出力するようにしたので、従来のように単一の同期信号だけではなく、出力タイミングが異なる複数種類の同期信号を有し、これら複数種類の同期信号の内、前記色成分信号と同期した同期信号に近い所定の同期信号を選択可能とすることで、色成分信号及び同期信号間の同期を合わせ、すなわち映像信号処理装置(映像信号出力機器)及び表示器(映像出力モニタ)間の画素単位での合わせ込みを可能とし、従来のような表示器内部の回路調整作業を極力解消することで、熟練者による複雑な調整作業も要することなく、さらには、視認性に優れた鮮明な表示映像をユーザに提供することができる。
【００１３】
本発明の映像信号処理装置によれば、出力タイミングが異なる複数種類の同期信号を生成可能とし、選択信号に応じて、前記複数種類の同期信号の内、所定の同期信号を選択し、この選択した所定の同期信号と色成分信号とを含む映像信号を出力するようにしたので、複数種類の同期信号の内、例えば選択操作による選択信号に応じて、色成分信号と同期した同期信号に近い所定の同期信号を選択可能とすることで、簡単な操作で色成分信号及び同期信号間の同期を合わせ、すなわち映像信号処理装置及び表示器間の画素単位での合わせ込みを可能とし、従来のような表示器内部の回路調整作業を極力解消することで、熟練者による複雑な調整作業も要することなく、さらには視認性に優れた鮮明な表示映像をユーザに提供することができる。
【発明を実施するための最良の形態】
【００１４】
以下、図面に基づいて本発明の映像信号処理装置に関わる実施の形態を示す車載用ナビゲーションシステムについて説明する。図１は本実施の形態を示す車載用ナビゲーションシステム内部の概略構成を示すブロック図である。
【００１５】
図１に示す車載用ナビゲーションシステム１は、例えば経路案内情報等の映像信号を生成するナビゲーション装置本体２と、このナビゲーション装置本体２とケーブル３を通じて接続する表示器４とを有し、表示器４は、ナビゲーション装置本体２からの映像信号に含まれるＲＧＢ信号及び同期信号を受信し、この同期信号に基づいてＲＧＢ信号を映像出力するものである。
【００１６】
また、ナビゲーション装置本体２は、ＲＧＢ信号及び同期信号を含む映像信号を生成する映像用プロセッサ１１と、この映像用プロセッサ１１からの同期信号に基づいて、出力タイミングが異なる複数種類、例えば４種類の同期信号を生成する同期信号生成部１２と、この同期信号生成部１２にて生成した複数種類の同期信号の内、後述するセレクタ信号に応じて所定の同期信号を選択する同期信号セレクタ部１３と、この同期信号セレクタ部１３にて選択された同期信号を表示器４にケーブル伝送する同期信号出力インタフェース１４と、映像用プロセッサ１１からのＲＧＢ信号を表示器４にケーブル伝送するＲＧＢ信号出力インタフェース１５と、表示器４の表示画面上にあるタッチパネルのタッチ操作を監視するタッチセンサ１６と、このナビゲーション装置本体２全体を制御するマイコン１７とを有している。
【００１７】
図２はナビゲーション装置本体２内部の各種信号に関わるタイミングチャートを示す説明図である。
【００１８】
図２に示す同期信号生成部１２は、表示器４に伝送する同期信号の出力タイミングを調整し、ＲＧＢ信号をサンプリングしている表示器４側のタイミングを１画素単位で正確に合わせこむため、複数種類、例えば４種類の同期信号を生成するものである。
【００１９】
同期信号生成部１２は、基準クロックを生成する基準クロック生成部２２と、この基準クロック生成部２２からの基準クロックを１／２分周することで、映像用プロセッサ１１の描画クロックを生成する描画クロック生成部２１と、基準クロック生成部２２からの基準クロックを反転出力するＮＯＴ回路２３と、同期信号及び基準クロックに基づいて４種類の同期信号（同期信号Ａ、同期信号Ｂ、同期信号Ｃ及び同期信号Ｄ）を生成する第１、第２及び第３のＤフリップフロップ回路２４（２４ａ、２４ｂ、２４ｃ）とを有している。
【００２０】
同期信号生成部１２では、描画クロックの１／４周期(基準クロックの１／２周期)づつ同期信号の出力タイミングをずらすことで、４種類の同期信号を生成し、後述するように、これら同期信号Ａ、同期信号Ｂ、同期信号Ｃ及び同期信号Ｄ夫々を同期信号セレクタ部１３に夫々入力するものである。
【００２１】
映像用プロセッサ１１は、通常のタイミングで同期信号Ａを同期信号セレクタ部１３のＡ入力に伝送するものである。
【００２２】
第１Ｄフリップフロップ回路２４ａは、ＮＯＴ回路２３を通じて、基準クロック生成部２２からの基準クロックの立下りを検出したタイミングで、映像用プロセッサ１１からの同期信号を同期信号Ｂとして、第２Ｄフリップフロップ回路２４ｂ及び同期信号セレクタ部１３のＢ入力に伝送するものである。尚、同期信号Ｂは、図２に示すように、同期信号Ａに対して描画クロックの１／４周期遅れたタイミングで出力されることになる。
【００２３】
第２Ｄフリップフロップ回路２４ｂは、基準クロック生成部２２からの基準クロックの立上がりを検出したタイミングで、第１Ｄフリップフロップ回路２４ａからの同期信号を同期信号Ｃとして、第３Ｄフリップフロップ回路２４ｃ及び同期信号セレクタ部１３のＣ入力に伝送するものである。尚、同期信号Ｃは、図２に示すように、同期信号Ｂに対して描画クロックの１／４周期遅れたタイミング、すなわち同期信号Ａに対して描画クロックの２／４周期遅れたタイミングで出力されることになる。
【００２４】
第３Ｄフリップフロップ回路２４ｃは、ＮＯＴ回路２３を通じて、基準クロック生成部２２からの基準クロックの立下りを検出したタイミングで、第２Ｄフリップフロップ回路２４ｂからの同期信号を同期信号Ｄとして、同期信号セレクタ部１３のＤ入力に伝送するものである。尚、同期信号Ｄは、図２に示すように同期信号Ｃに対して描画クロックの１／４周期遅れたタイミング、すなわち同期信号Ａに対して描画クロックの３／４周期遅れたタイミング、すなわち同期信号Ａに対して描画クロックの３／４周期遅れたタイミングで出力されることになる。
【００２５】
つまり、同期信号生成部１２では、映像用プロセッサ１１からの同期信号を、描画クロックの１／４周期づつ遅れた出力タイミングの同期信号Ａ、同期信号Ｂ、同期信号Ｃ及び同期信号Ｄを夫々生成し、これら同期信号を同期信号セレクタ部１３に夫々伝送することになる。
【００２６】
マイコン１７は、タッチセンサ１６を通じて表示器４の各種タッチ操作を検出すると、この検出結果に基づいて各種制御動作を実行するものであり、例えば同期信号の選択操作を検出すると、この選択操作に対応したセレクタ信号を同期信号セレクタ部１３に伝送するものである。
【００２７】
同期信号セレクタ部１３は、これら同期信号Ａ、同期信号Ｂ、同期信号Ｃ及び同期信号Ｄを入力し、これら同期信号の内、マイコン１７からのセレクタ信号に応じた同期信号を選択し、この選択した同期信号を同期信号出力インタフェース１４に出力するものである。
【００２８】
尚、請求項記載の映像信号処理装置はナビゲーション装置本体２、映像信号処理手段は同期信号生成部１２、同期信号セレクタ部１３及びマイコン１７に、同期信号生成手段は同期信号生成部１２、同期信号選択手段は同期信号セレクタ部１３及びマイコン１７に相当するものである。
【００２９】
次に本実施の形態を示す車載用ナビゲーションシステム１の動作について説明する。
【００３０】
映像用プロセッサ１１は、経路案内情報を表示器４に表示すべく、映像信号を出力し、この映像信号のＲＧＢ信号をＲＧＢ信号出力インタフェース１５に供給すると共に、映像信号の同期信号を同期信号セレクタ部１３のＡ入力、第１Ｄフリップフロップ回路２４ａ及び描画クロック生成部２１に夫々供給する。
【００３１】
同期信号生成部１２内の描画クロック生成部２１は、基準クロック生成部２２にて生成した基準クロックを１／２分周することで描画クロックを生成し、この描画クロックを映像用プロセッサ１１に供給する。
【００３２】
基準クロック生成部２２は、基準クロックを各第１、第２、第３Ｄフリップフロップ回路２４ａ、２４ｂ、２４ｃに供給する。
【００３３】
第１Ｄフリップフロップ回路２４ａでは、同期信号Ａを基準とした場合、描画クロックの１／４周期分遅れた同期信号Ｂを同期信号セレクタ部１３のＢ入力に供給する。
【００３４】
第２Ｄフリップフロップ回路２４ｂでは、同期信号Ａを基準とした場合、描画クロックの２／４周期分遅れた同期信号Ｃを同期信号セレクタ部１３のＣ入力に供給する。
【００３５】
第３Ｄフリップフロップ回路２４ｃでは、同期信号Ａを基準とした場合、描画クロックの３／４周期分遅れた同期信号Ｄを同期信号セレクタ部１３のＤ入力に供給する。
【００３６】
同期信号セレクタ部１３では、同期信号Ａ、同期信号Ｂ、同期信号Ｃ及び同期信号Ｄの４種類の同期信号を切り替える。
【００３７】
タッチセンサ１６は、図３に示す表示器４の表示画面に表示中の同期信号選択ボタン４ａ（Ａ、Ｂ、Ｃ、Ｄ）から所望の同期信号に対応した選択操作を検出すると、この検出結果をマイコン１７に通知する。
【００３８】
マイコン１７は、タッチセンサ１６を通じて選択操作を検出すると、この選択操作に対応した同期信号を選択するセレクタ信号を同期信号セレクタ部１３に供給する。
【００３９】
同期信号セレクタ部１３は、マイコン１７からのセレクタ信号を検出すると、複数の同期信号の内、セレクタ信号に対応した同期信号を選択し、この選択した同期信号を同期信号出力インタフェース１４に供給する。
【００４０】
表示器４では、同期信号セレクタ部１３にて選択された同期信号とＲＧＢ信号とのサンプリングタイミングの合わせこみ動作を実行する。尚、このサンプリングタイミングが合うと、ＲＧＢ信号及び同期信号間の表示同期が確立し、映像用プロセッサ１１の出力画素と表示器４の表示画素とを１画素単位で合致することになるが、サンプリングタイミングが合わないと、ＲＧＢ信号及び同期信号間の表示同期が確立せず、映像用プロセッサ１１の出力画素と表示器４の表示画素とが合わず、その結果、表示器４の表示画面上ににじみ等が生じることになる。
【００４１】
そこで、ユーザは、表示器４にて鮮明な映像表示が得られないと判断すると、他の同期信号を選択すべく、表示器４に表示中の同期信号選択ボタン４ａの選択操作を実行する。
【００４２】
マイコン１７は、タッチセンサ１６を通じて選択操作を検出すると、この選択操作に対応したセレクタ信号を同期信号セレクタ部１３に供給する。
【００４３】
同期信号セレクタ部１３は、マイコン１７からのセレクタ信号を検出すると、このセレクタ信号に対応した同期信号を表示器４に選択出力する。尚、このようにユーザ側では、出力タイミングが異なる４種類の同期信号を順次選択し、表示器４の表示映像を見ながら、最適な映像表示を提供する同期信号を簡単に選択することができる。
【００４４】
表示器４では、同期信号セレクタ部１３にて選択した同期信号とＲＧＢ信号とのサンプリングタイミングが合うと、これらＲＧＢ信号及び同期信号間の表示同期が確立し、映像用プロセッサ１１の出力画素と表示器の表示画素とが１画素単位で合致することになり、鮮明な映像表示を得ることになる。
【００４５】
本実施の形態によれば、従来のように単一の同期信号だけではなく、出力タイミングが異なる複数種類の同期信号を有し、同期信号選択ボタン４ａの選択操作に応じて、これら複数種類の同期信号の内、ＲＧＢ信号と同期した同期信号に近い所定の同期信号を選択可能とすることで、ＲＧＢ信号及び同期信号間の表示同期を合わせ、すなわち映像用プロセッサ１１及び表示器４間の画素単位での合わせ込みを可能とし、従来のような表示器４内部の回路調整作業を解消することで、熟練者による複雑な調整作業も要することなく、さらには、視認性に優れた鮮明な表示映像をユーザに提供することができる。
【００４６】
尚、上記実施の形態においては、映像信号処理装置としてナビゲーション装置本体２を例にあげて説明したが、例えば到来するテレビ放送を受信し、このテレビ放送に関わるＲＧＢ信号及び同期信号を表示器４に伝送するテレビチューナ等であっても同様の効果が得られることは言うまでもない。
【００４７】
また、上記実施の形態においては、第１、第２及び第３Ｄフリップフロップ回路２４ａ、２４ｂ及び２４ｃと、ＮＯＴ回路２３とで同期信号生成部１２を構成し、出力タイミングが異なる４種類の同期信号を生成するようにしたが、このようなＤフリップフロップ回路を使用した構成に限定されるものではなく、他の遅延素子を用いて構成するようにしても良いことは言うまでもない。
【００４８】
また、上記実施の形態においては、描画クロック生成部２１にて基準クロックを１／２分周することで描画クロックを生成するようにしたが、映像用プロセッサ１１の描画クロックを速くすることで、同期信号の出力タイミングを変化させるようにしても良いことは言うまでもない。
【産業上の利用可能性】
【００４９】
本発明の映像信号処理装置は、従来のように単一の同期信号だけではなく、出力タイミングが異なる複数種類の同期信号を有し、これら複数種類の同期信号の内、前記色成分信号と同期した同期信号に近い所定の同期信号を選択可能とすることで、色成分信号及び同期信号間の同期合わせ、すなわち映像信号処理装置及び表示器間の画素単位での合わせ込みを可能とし、従来のような表示器内部の回路調整作業を極力解消することで、熟練者による複雑な調整作業も要することなく、さらには、鮮明な表示映像をユーザに提供することができるという効果を有し、例えば車載用ナビゲーションシステム等の、カラーモニタやＬＣＤ等の表示器を備えた車載用映像システムに有用である。
【図面の簡単な説明】
【００５０】
【図１】本発明の映像信号処理装置に関わる実施の形態を示す車載用ナビゲーションシステム内部の概略構成を示すブロック図である。
【図２】本実施の形態に関わるナビゲーション装置本体内部の各種信号のタイミングチャートを示す説明図である。
【図３】本実施の形態に関わる表示器の同期信号選択画面の一例を示す説明図である。
【符号の説明】
【００５１】
２  ナビゲーション装置本体(映像信号処理装置)
４  表示器
１２  同期信号生成部(同期信号生成手段、映像信号処理手段)
１３  同期信号セレクタ部(同期信号選択手段、映像信号処理手段)
１７  マイコン(同期信号選択手段、映像信号処理手段)
【図１】
2005142928.tif 000003
【図２】
2005142928.tif 000004
【図３】
2005142928.tif 000005